(57)【特許請求の範囲】
【請求項１】
予め患者監視プログラムが記憶された書換え可能な第１記憶装置と、該第１記憶装置に記憶された患者監視プログラムを実行するＣＰＵと、外部からのデータが入力される入力ポートと、該入力ポートを通して入力される信号に基づいて該第１記憶装置に記憶された患者監視プログラムを書き換える書換え手段とを備え、該ＣＰＵからの指令に基づいて患者を監視する形式の患者監視装置であって、
外部装置にデータを出力するための出力ポートと、
前記第１記憶装置に記憶されたプログラムを送信するための送信プログラムを記憶した第２記憶装置と、
該第２記憶装置に記憶された送信プログラムに従って、前記出力ポートを通して、前記第１記憶装置に記憶された患者監視プログラムを送信する送信手段と
を、含むことを特徴とする患者監視装置。
【発明の詳細な説明】
【０００１】
【発明の属する技術分野】
本発明は、血圧、心電図、心拍数等の生体情報を測定または監視する患者監視装置に関するものである。
【０００２】
【従来の技術】
患者の生体情報を測定または監視するために、血圧計、心電誘導装置等の種々の患者監視装置が提案されている。これらの患者監視装置は、一つの装置に多くの機能を持たせるため、あるいはより精度の高い測定・監視を行なうため、ＣＰＵを備えたマイクロコンピュータが組み込まれ、そのマイクロコンピュータにより、表示器の制御や測定条件の制御等が行なわれることが一般的になっている。そして、上記ＣＰＵは、ＲＯＭ等の記憶装置に予め記憶されたプログラムを実行することにより、表示器の制御や測定条件の制御を行っている。
【０００３】
このようにＣＰＵが予め記憶されたプログラムを実行することにより患者監視を行なう形式の患者監視装置では、より需要者の要求に応えた患者監視装置とするために、上記予め記憶されたプログラムを新たに改良されたプログラムに書き換えられるように、そのプログラムがフラッシュメモリー等の書換え可能な記憶装置に記憶されていることがある。そして、上記書換え可能な記憶装置に記憶されたプログラムを書き換えようとする場合には、改良されたプログラムが記憶され、且つその改良されたプログラムを送信することができるプログラム書換え装置（パソコン等）を前記患者監視装置に接続して、プログラムの変更を行っていた。
【０００４】
【発明が解決しようとする課題】
しかし、複数の患者監視装置について、プログラムを変更しようとする場合は、上記プログラム書換え装置が一台しかない場合は、変更に時間を必要とし、短時間で全ての装置のプログラムを変更したい場合は、上記プログラム書換え装置を多数準備する必要があった。さらに、病院等の患者監視装置を使用している現場では、上記プログラム書換え装置を持っていないことが通常であるため、同種の患者監視装置であっても、プログラムのバージョンが異なり、同一仕様に統一できない場合も生じていた。
【０００５】
本発明は以上のような事情を背景として為されたものであり、その目的とするところは、専用の書換え装置を用いることなく、予め記憶されたプログラムを書き換えることができる患者監視装置を提供することにある。
【０００６】
【課題を解決するための手段】
かかる目的を達成するための本発明の要旨とするところは、予め患者監視プログラムが記憶された書換え可能な第１記憶装置と、その第１記憶装置に記憶された患者監視プログラムを実行するＣＰＵと、外部からのデータが入力される入力ポートと、その入力ポートを通して入力される信号に基づいてその第１記憶装置に記憶された患者監視プログラムを書き換える書換え手段とを備え、そのＣＰＵからの指令に基づいて患者を監視する形式の患者監視装置であって、外部装置にデータを出力するための出力ポートと、前記第１記憶装置に記憶されたプログラムを送信するための送信プログラムを記憶した第２記憶装置と、その第２記憶装置に記憶された送信プログラムに従って、前記出力ポートを通して、前記第１記憶装置に記憶された患者監視プログラムを送信する送信手段とを、含むことにある。
【０００７】
【発明の効果】
このようにすれば、一つの患者監視装置の出力ポートと、同様に構成された他の患者監視装置の入力ポートとを接続し、送信手段により、前記第２記憶装置に記憶された送信プログラムに従って、出力ポートを通して、前記第１記憶装置に記憶された患者監視プログラムを上記他の患者監視装置に送信することができる。そして、上記他の患者監視装置は、書換え手段により、入力ポートを通して入力される信号に基づいて、第１記憶装置に記憶された患者監視プログラムを書き換えることができるので、専用の書換え装置を用いることなく、予め記憶された患者監視プログラムを書き換えることができる。
【０００８】
【発明の他の態様】
ここで、好適には、前記送信手段は、前記患者監視プログラムを実行するＣＰＵにより実行されるものである。このようにすれば、送信プログラムを実行するためにＣＰＵを別に設ける必要がなくなる利点がある。
【０００９】
【発明の好適な実施の形態】
以下、本発明の一実施例を図面に基づいて詳細に説明する。図１は、本発明が適用された患者監視装置１０の構成の一例を説明するブロック図であって、２台の患者監視装置１０ａ、１０ｂがケーブル１２により接続されている。なお、本実施例では、患者監視装置１０ａを送信側、患者監視装置１０ｂを受信側とする。
【００１０】
図１において、患者監視装置１０ａ、１０ｂ（以下、特に区別しないときは患者監視装置１０とする）は、患者に装着されて患者の生体信号を検出する生体信号検出器１４、その生体信号検出器１４を制御し、生体信号検出器１４から供給された生体信号に基づいて生体情報を決定する電子制御装置１６、その生体情報を表示する表示器１８、および外部装置（患者監視装置１０ａの場合は患者監視装置１０ｂ）にデータを出力し、且つ外部からのデータを入力するための入出力ポート２０を含んで構成されている。
【００１１】
上記生体信号検出器１４には、たとえば生体の上腕部に巻回されてその上腕動脈から発生する圧力振動波を検出するカフ、生体の末梢部の表皮に装着されて毛細血管の容積脈波を検出するパルスオキシメータ用光電脈波検出用プローブ、生体の所定の部位に貼り着けられる複数の電極を介して心筋の活動電位を示す心電誘導波を検出する心電誘導装置等が用いられる。
【００１２】
上記電子制御装置１６は、ＣＰＵ２２、ＰＲＯＭ２４、ＲＡＭ２６、およびＲＯＭ２８から構成されており、ＣＰＵ２２は、ＰＲＯＭ２４に予め記憶された患者監視プログラムに従い、前記生体信号検出器１４を制御し、そしてＲＡＭ２６の記憶機能を利用しつつその生体信号検出器１４から供給される生体信号に基づいて生体情報を決定し、決定した生体情報を表示器１８に表示させる。従って、本実施例では上記ＰＲＯＭ２４が第１記憶装置として機能している。上記生体信号に基づいて決定される生体情報には、たとえば上腕動脈から発生する圧力振動波に基づいて決定される血圧値、容積脈波に基づいて決定される酸素飽和度、心電誘導波に基づいて決定される心電図、心電誘導波形の所定部位から、末梢血管の容積脈波の所定部位までの時間差に基づいて決定される脈波伝播速度情報等がある。
【００１３】
上記ＰＲＯＭ２４は、書換え可能に構成されており、たとえばフラッシュＥＥＰＲＯＭ等が用いられる。上記ＲＯＭ２８は、本実施例において第２記憶装置として機能するものであり、前記患者監視プログラムを送信するためにプログラムされた送信プログラムおよび他の装置（患者監視装置１０ｂの場合は患者監視装置１０ａ）から患者監視プログラムを受信してＰＲＯＭ２４に記憶された患者監視プログラムを書き換える受信プログラムが記憶されている。ＣＰＵ１６は、ＲＯＭ２８に記憶された送信プログラムに従って、ＰＲＯＭ２４に記憶された患者監視プログラムを出力する。
【００１４】
電子制御装置１６から出力された患者監視プログラムは、入出力ポート２０ａおよび入出力ポート２０ａに接続されたケーブル１２を介して、患者監視装置１０ｂへ出力される。そして、患者監視装置１０ｂでは、入出力ポート２０ｂから入力された信号に基づいて、ＰＲＯＭ２４ｂに記憶された患者監視プログラムが書き換えられる。
【００１５】
起動停止スイッチ３０は、そのスイッチ３０が押される毎に患者監視装置１０の起動／停止を交互に切り換える。操作パネル３２には、患者監視装置１０に患者監視作動の開始／停止を指示するためのボタン、表示器１８に表示された内容から、その表示内容の切り換えや、他の患者監視装置との間で患者監視プログラムの送受信を実行するプログラムＣＯＰＹモードを選択するための選択ボタンが備えられる。
【００１６】
図２は、上記患者監視装置１０における電子制御装置１６の患者監視プログラム送信および書換え機能の要部を説明する機能ブロック線図である。
【００１７】
表示画面切り換え手段４０は、コピーモード選択手段ともいうべきものであり、表示画面切り換え信号すなわちコピーモード選択信号が入力された場合に、表示器１８の表示内容を、通常の患者監視画面から、患者監視プログラムの送信および受信を選択するためにプログラムの送信／受信等のメニューを表示する画面に切り換える。たとえば、表示パネル３２の予め設定されたボタンが押された状態で、起動停止スイッチ３０が押されて患者監視装置１０が起動させられた場合に、上記表示画面切り換え信号が出力されるようになっている。
【００１８】
送信手段４２は、表示画面切り換え手段４０により、表示器１８にコピーモードの幾つかの選択メニューが表示され、その中からプログラム送信が選択された場合に実行され、ＲＯＭ２８に記憶された送信プログラムにに従って、ＰＲＯＭ２４に記憶された患者監視プログラムを、入出力ポート２０から出力する。
【００１９】
書換え手段４４は、表示画面切り換え手段４０により、表示器１８にコピーモードの幾つかの選択メニューが表示され、その中からプログラム受信が選択された場合に実行され、図示しない紫外線照射装置からＰＲＯＭ２４の所定部位に紫外線を照射すること等により、ＰＲＯＭ２４に記憶されている患者監視プログラムを消去する消去手段４６と、入出力ポート２０を通して入力される信号に基づいて、ＰＲＯＭ２４に新たな患者監視プログラムを書き込む書き込み手段４８とを備えている。
【００２０】
図３および図４は、上記患者監視装置１０の電子制御装置１６において、ＲＯＭ２８に記憶された送信プログラムおよび受信プログラムに従って実行される患者監視プログラムの受信および送信機能の要部を説明するフローチャートであって、図３は、患者監視プログラムを受信する場合に実行される受信ルーチンであり、図４は、患者監視プログラムを送信する場合に実行される送信ルーチンである。
【００２１】
図３の受信ルーチンは、前記コピーモードが選択され、さらに表示器１８の表示画面からプログラム受信が選択された場合に実行される。図３において、まずステップＳＡ１（以下、ステップを省略する。）では、プログラム送信側の患者監視装置１０ａに接続されたことを識別させるための識別信号すなわち送信要求信号が送信される。続くＳＡ２では、患者監視装置１０ａからの送信開始信号を受信したか否かが判断される。この判断が否定された場合は、前記ＳＡ１以下が繰り返される。
【００２２】
しかし、上記ＳＡ２の判断が肯定された場合は、送信側と受信側との接続が正常に行なわれた場合であり、送信側の患者監視装置１０ａから新たな患者監視プログラムが送信されるので、続く消去手段４６ｂに対応するＳＡ３では、図示しない紫外線照射装置からＰＲＯＭ２４ｂに紫外線が一定時間照射されることにより、ＰＲＯＭ２４ｂに記憶された患者監視プログラムが消去される。
【００２３】
続いて書き込み手段４８ｂに対応するＳＡ４乃至ＳＡ５が実行される。ＳＡ４では、入出力ポート２０ｂを通して送信側の患者監視装置１０ａから入力される新たな患者監視プログラムが、ＰＲＯＭ２４ｂに順次書き込まれる。そして続くＳＡ５では、終了信号が受信されたか否かが判断される。この判断が否定されるうちは、上記ＳＡ４以下が実行されて患者監視プログラムの書き込みが行なわれ、終了信号が受信された場合は、ＳＡ５の判断が肯定されて本ルーチンが終了させられる。
【００２４】
図４の送信ルーチンは、前記コピーモードが選択され、さらに表示器１８ａの表示画面からプログラム送信が選択された場合に実行される。図４において、まずＳＢ１では、接続されたか否かが判断される。すなわち、受信側の患者監視装置１０ｂからの送信要求信号を受信したか否かが判断される。
【００２５】
上記ＳＢ１の判断が否定されるうちは、ＳＢ１が繰り返し実行され、肯定された場合は、続くＳＢ２において送信開始信号が送信される。これにより、受信側の患者監視装置１０ｂにおいても接続が正常であることが判断される。そして、続くＳＢ３では、上記ＳＢ２において送信開始信号が送信されてから予め設定された所定時間が経過したか否かが判断される。この所定時間は、受信側の患者監視装置１０ｂにおいて送信開始信号を受信してからＰＲＯＭ２４に記憶されている患者監視プログラムを消去するのに十分な時間として予め設定されている。
【００２６】
続いて、送信手段４２ａに対応するＳＢ４乃至ＳＢ６が実行される。すなわち、ＳＢ４においてＰＲＯＭ２４ａに記憶された患者監視プログラムが順次送信され、続くＳＢ５では、その患者監視プログラムが全て送信されたか否かが判断される。このＳＢ５の判断が否定されるうちは、ＳＢ４以下が繰り返されて患者監視プログラムの送信が継続される。
【００２７】
しかし、上記ＳＢ５の判断が肯定された場合は、続くＳＢ６において、プログラムの送信終了を受信側の患者監視装置１０ｂに知らせるための終了信号が送信されて本ルーチンが終了させられれる。
【００２８】
上述のように、本実施例によれば、送信側の患者監視装置１０ａの入出力ポート２０ａと、同様に構成された受信側の患者監視装置１０ｂの入出力ポート２０ｂとをケーブル１２で接続し、送信手段４２ａにより、ＲＯＭ２８ａに記憶された送信プログラムに従って、入出力ポート２０ａを通して、ＰＲＯＭ２４ａに記憶された患者監視プログラムを受信側の患者監視装置１０ｂに送信することができる。そして、受信側の患者監視装置１０ｂは、書換え手段４４ｂにより、入力ポート２０ｂを通して入力される信号に基づいて、ＰＲＯＭ２４ｂに記憶された患者監視プログラムを書き換えることができるので、専用の書換え装置を用いることなく、予め記憶された患者監視プログラムを書き換えることができる。
【００２９】
従って、従来のパソコン等の専用の書換装置を必要とする患者監視装置では、複数台、たとえば８台の患者監視装置のプログラムを書き換える場合、その専用の書換え装置による患者監視プログラムの書換え作業を８回行なう必要があったが、本実施例のように構成された患者監視装置１０では、患者監視プログラムの書換えが終了した患者監視装置１０を用いて、書換えが済んでいない患者監視装置１０の患者患者監視プログラムを書き換えることができるので、全ての患者監視装置１０のプログラムの書換えに要する時間を短縮することができる。また、専用の書換え装置がなくても、患者監視プログラムを書き換えることができるので、患者監視装置１０の使用現場で容易にプログラムを書き換えることができ、複数の患者監視装置１０間の仕様の統一も容易となる。
【００３０】
また、本実施例によれば、送信手段４２は、患者監視プログラムを実行するＣＰＵ２２により実行されるものであるので、送信プログラムを実行するためにＣＰＵを別に設ける必要がなくなる利点がある。
【００３１】
以上、本発明の一実施例を図面に基づいて詳細に説明したが、本発明はその他の態様においても適用される。
【００３２】
たとえば、前述の実施例において、患者監視プログラムは、ＰＲＯＭ２４に記憶されていたが、ＰＲＯＭ２４に代えてシリコンディスク、ハードディスク等、他の書換え可能な記憶装置が用いられてもよい。
【００３３】
また、前述の実施例では、送信プログラムおよび受信プログラムは、患者監視プログラムが記憶されたＰＲＯＭ２４とは異なる記憶装置すなわちＲＯＭ２８に記憶されていたが、送信プログラムや受信プログラムもＰＲＯＭ２４に記憶されてもよい。この場合、消去手段４６では、ＰＲＯＭ２４の記憶内容のうち、患者監視プログラムの部分のみを消去するようにされる。
【００３４】
また、前述の実施例では、送信側の患者監視装置１０ａ入出力ポート２０ａと受信側の患者監視装置１０ｂの入出力ポート２０ｂとが、ケーブル１２で接続されていたが、無線により２つの患者監視装置が接続されてもよい。また、入力ポートと出力ポートは別々に構成されていてもよい。
【００３５】
なお、本発明はその主旨を逸脱しない範囲においてその他種々の変更が加えられ得るものである。
【図面の簡単な説明】
【図１】本発明の一実施例の患者監視装置の構成の一例を説明するブロック図であって、２台の患者監視装置がケーブルにより接続された状態を示す図である。
【図２】図１の実施例における電子制御装置の患者監視プログラム送信および書換え機能の要部を説明する機能ブロック線図である。
【図３】図１の実施例における電子制御装置の制御作動の要部を説明するフローチャートであって、患者監視プログラムを受信する場合に実行される受信ルーチンを説明する図である。
【図４】図１の実施例における電子制御装置の制御作動の要部を説明するフローチャートであって、患者監視プログラムを送信する場合に実行される送信ルーチンを説明する図である。
【符号の説明】
１０：患者監視装置
２０：入出力ポート
２２：ＣＰＵ
２４：ＰＲＯＭ（第１記憶装置）
２８：ＲＯＭ（第２記憶装置）
４２：送信手段
４４：書換え手段
【図１】
0004174889.tif 000002
【図２】
0004174889.tif 000003
【図３】
0004174889.tif 000004
【図４】
0004174889.tif 000005